(57)【要約】【課題】  各レンズの同軸度と移動の安定性を確保し、光学的品質を高める光学レンズ部品を提供すること。【解決手段】  レンズグループを収納し、第一レンズ部と第二レンズ部を構成する少なくとも二つ以上の内鏡筒であって、該第一レンズ部と第二レンズ部とを組立後、該レンズグループを設けた一方の内鏡筒の少なくとも一部分の外径構造体が、該レンズグループを設けた他の内鏡筒内の内部構造体内に収納される内鏡筒と、該第一レンズ部と、該第二レンズ部と、を収納する固定座と、組立てた後のレンズセットの各レンズグループの同軸度を確保する修正手段と、を備えてなり、該修正手段が少なくとも、該第一レンズ部と第二レンズ部とを互いに協働させ、かつ少なくとも一部の構造が精密な位置関係を保持する部材と、少なくとも一つ以上の締結部材を利用して該第一レンズ部と第二レンズ部上の位置決め構造体と、を構成し、該固定座上のガイドレールに連結する。【選択図】  図４
2006011421.tif 000002
【特許請求の範囲】
【請求項１】
レンズが移動する場合、レンズグループ間の同心度を確保する光学レンズ部品であって、
対応する該レンズグループを収納し、第一レンズ部と第二レンズ部とを構成する少なくとも二つ以上の内鏡筒であって、前記第一レンズ部と前記第二レンズ部とを組み立てた後、該レンズグループを設けた一方の内鏡筒の少なくとも一部分の外径構造体が、該レンズグループを設けた他の内鏡筒内の内部構造体内に収納される内鏡筒と、
該第一レンズ部と、
該第二レンズ部と、を収納する固定座と、
組立後のレンズセットの各レンズグループの同軸度を確保する修正手段と、を備えてなり、
該修正手段が少なくとも、
該第一レンズ部と第二レンズ部とを互いに協働させ、かつ少なくとも一部の構造体が精密な位置関係を保つ部材と、
少なくとも一つ以上の締結部材を利用して該第一レンズ部と第二レンズ部上の位置決め構造体を構成し、該固定座上のガイドレールに連結して該レンズ部が、該固定座内において摺動自在になるようにするためのスライド手段と、を備えることを特徴とする光学レンズ部品。
【請求項２】
前記両内鏡筒の一部の外径構造体と、該固定座の対応する内壁が緊密に当接し、該修正手段の別の構成部分を構成することを特徴とする、請求項１に記載の光学レンズ部品。
【請求項３】
前記両レンズ部が、それぞれ第一レンズグループと第二レンズグループとに分けられ、両内鏡筒がそれぞれ第一内鏡筒と第二内鏡筒であって、且つ該両内鏡筒がいずれも段差を有し、異なる内径と異なる外径を呈する筒状本体であることを特徴とする、請求項２に記載の光学レンズ部品。
【請求項４】
前記第一内鏡筒と第二内鏡筒とがいずれも第一外径を有する本体部分を含み、かつ該本体部分の外周壁が内鏡筒と該固定座の対応する内壁と互いに協働する外径構造体であることを特徴とする、請求項３に記載の光学レンズ部品。
【請求項５】
前記修正手段の位置決め構造が二つであって、かつそれぞれが両内鏡筒の第一外径を有する本体部分の外周面に形成される位置決め溝であることを特徴とする、請求項４に記載の光学レンズ部品。
【請求項６】
前記締結部材が固定ネジであって、該固定ネジの一端が該位置決め溝内に到り、かつ該固定ネジの他端が該固定座のガイドレール内に進入することを特徴とする、請求項５に記載の光学レンズ部品。
【請求項７】
前記第一内鏡筒が第一内径を有する本体部分を含み、
該第二内鏡筒が第二外径を有する本体部分を含み、かつ第一内鏡筒の第一内径を有する本体部分と、第二内鏡筒の第二外径を有する本体部分とが互いに協働し合い、
該第一レンズ部と該第二レンズ部とを一体に組み立てる場合、該第二内鏡筒の第二外径を有する本体部分が、該第一内鏡筒の第一内径を有する本体部分内に収納されることを特徴とする、請求項３または請求項４に記載の光学レンズ部品。
【請求項８】
前記第一内鏡筒が第二内径を有する本体部分を含み、
該第二鏡筒が第三外径を有する本体部分を含み、かつ第一内鏡筒の第二内径が、第二内鏡筒の第三外径よりやや大きく、
両内鏡筒を組立後、互いに協働する本体部分間に隙間が形成されることを特徴とする、請求項７に記載の光学レンズ部品。
【請求項９】
前記第一内鏡筒が第三内径を有する本体部分を含み、
該本体部分に該第一レンズセットを収納し、該第二レンズセットが該第二鏡筒の第二、第三外径を有する本体部分の対応する内部構造体内に収納されることを特徴とする、請求項８に記載の光学レンズ部品。
【請求項１０】
前記第二内鏡筒の第二外径を有する本体部分の外周面に、適宜な深さの溝を形成することを特徴とする、請求項７に記載の光学レンズ部材。
【請求項１１】
前記第一内鏡筒の第二内径を有する本体部分の壁面に、複数の通気孔を形成することを特徴とする、請求項８に記載の光学レンズ部材。
【請求項１２】
レンズが移動する場合、レンズグループ間の同心度を確保する光学レンズ部品の組立方法であって、
少なくとも第一レンズセットと第二レンズセットとに分けられる複数の光学レンズと、
第一レンズセットを収納する第一内鏡筒と、
第二レンズセットを収納する第二内鏡筒と、
固定座と、
締結部材と、を含んでなり、それぞれの内鏡筒の外周面にはいずれも少なくとも一つ以上の位置決め溝を形成し、該固定座にガイドレールと、を設けてなる光学レンズ部品の組立方法において、
ａ：該第一レンズセットと、該第二レンズセットを内鏡筒に設けて第一レンズ部と第二レンズ部を構成する段階と、
ｂ：該第一レンズ部と該第二レンズ部とを一体に組み立て、第二レンズセットを設ける第二内鏡筒の少なくとも一部分の外径構造体を該第一レンズセットを設ける該第一内鏡筒の内部構造体内に組み立て、且つ両内鏡筒が互いに協働する構造体の少なくとも一部分の関連構造体に精密な位置関係を保つ第一回目の修正を完成させ、それぞれのレンズセットが移動する場合の同軸度を確保する段階と、
ｃ：組立てた該第一レンズ部と第二レンズ部とを該固定座内に組立てて第二回目の修正を完成させ、且つ両内鏡筒のいずれにおいても一部分の外径構造体が該固定座の対応する内壁に当接するように構成する段階と、
ｄ：二つの締結部材を用意し、該締結部材の一部の構造体が内鏡筒の該位置決め溝内に組み立てられ、他の一部の構造体が該固定座上のガイドレール内に到って両レンズ部を該固定座上に位置決めし、レンズ部が該固定座内を摺動し、かつ互いに同軸度を保持するようにする段階と、を特徴とする光学レンズ部品の組立方法。
【請求項１３】
前記両内鏡筒がいずれも段差を有し、異なる内径と異なる外径を呈する本体を具備し、かつ第一内鏡筒と、第二内鏡筒がいずれも第一外径を有する本体部分を含むことを特徴とする、請求項１２に記載の光学レンズ部品の組立方法。
【請求項１４】
前記両内鏡筒の位置決め溝が第一外径を有する本体部分の外周面上に位置し、該締結部材が固定ネジであって、該固定ネジの一端が該位置決め溝内に到り、かつ該固定ネジの他端が該固定座のガイドレール内に進入することを特徴とする、請求項１３に記載の光学レンズ部品の組立方法。
【請求項１５】
前記第一内鏡筒が第一内径を有する本体部分を含み、該第二内鏡筒が第二外径を有する本体部分を含み、かつ第一内鏡筒の第一内径を有する本体部分と、第二内鏡筒の第二外径を有する本体部分とが互いに協働し合い、該第一レンズ部と該第二レンズ部とを一体に組み立てる場合、該第二内鏡筒の第二外径を有する本体部分が、該第一内鏡筒の第一内径を有する本体部分内に収納されることを特徴とする、請求項１２または請求項１４に記載の光学レンズ部品の組立方法。
【請求項１６】
前記第一内鏡筒が第二内径を有する本体部分を含み、該第二鏡筒が第三外径を有する本体部分を含み、かつ第一内鏡筒の第二内径が、第二内鏡筒の第三外径よりやや大きく、両内鏡筒を組み立てた後、互いに協働する本体部分間に隙間が形成されることを特徴とする、請求項１５に記載の光学レンズ部品の組立方法。
【請求項１７】
前記第二内鏡筒の第二外径を有する本体部分の外周面に、適宜な深さの溝を形成し、かつ該第一内鏡筒の第二内径を有する本体部分の壁面に複数の通気孔を形成することを特徴とする、請求項１６に記載の光学レンズ部品の組立方法。
【請求項１８】
レンズが移動する場合、レンズグループ間の同心度を確保する伸縮自在な光学レンズ部品であって、
複数のレンズによって構成される複数のレンズセットと、適宜な数の該レンズセットを収納し、複数のレンズ部を形成する複数の内鏡筒とによって構成され、
該レンズ部を組み立てた後、少なくとも一内鏡筒の一部分の外径構造体が、他の内鏡筒の内部構造体内に収納され、かつ両内鏡筒とを協働させる構造体において、少なくとも一部の関連構造体が精密な位置関係を保ち、それぞれの該レンズセットが移動する場合の互いの同軸度を確保することを特徴とする伸縮自在な光学レンズ部品。
【請求項１９】
精密な位置関係を保つ前記一部の関連構造体を構成する少なくとも一以上の内鏡筒に通気孔を形成し、空気が自由に進出できるようにしてレンズ鏡筒が伸縮した場合に、気圧を平均化して発生する気圧の差を解消することを特徴とする、請求項１８に記載の伸縮自在な光学レンズ部品。
【請求項２０】
精密な位置関係を保つ前記一部の関連構造多を構成する一対の内鏡筒間の当接面上に適宜な深さの溝を形成し、該当接面の協働程度を高め、摺動の抵抗を低減させることを特徴とする、請求項１８または請求項１９に記載の伸縮自在な光学レンズ部品。
【請求項２１】
前記内鏡筒の少なくとも一つの外周面に位置決め溝が形成されることを特徴とする、請求項２０に記載の伸縮自在な光学レンズ部品。
【請求項２２】
前記伸縮自在な光学レンズ部品が、該レンズ部を収納する固定座を含み、該固定座にガイドレールが形成され、
該レンズ部を固定座に組み立てる場合、少なくとも一つのレンズ部の一部外径構造体が該固定座の内壁に当接し、該レンズ部が該固定座に沿って摺動し、他のレンズ部が該レンズ部と相対的に移動することを特徴とする、請求項２１に記載の伸縮自在な光学レンズ部品。
【請求項２３】
前記伸縮自在な光学レンズ部品が、少なくとも一以上の締結部材を含み、該締結部材によって該内鏡筒上の位置決め溝と、該固定座のガイドレールとを連結することを特徴とする、請求項２２に記載の伸縮自在な光学レンズ部品。
【発明の詳細な説明】
【技術分野】
【０００１】
本発明は、光学レンズ部材に関し、特に投影、撮影等の機能を有する機器に用いられる可変フォーカスレンズに関する。
【背景技術】
【０００２】
近年来、次々と新しい電子製品が生まれてきている。特に投影、撮影機器については新規な技術が応用されている。相応して光学部材も弛まず精密度が高められ、相応する品質と好ましい画像効果を提供している。これら機器は、光学的可変フォーカス機能という特性を有する。即ち、光学レンズによってフォーカスを調整するものであって、具体的に言えばレンズを移動させて画像を拡大又は縮小するものである。従って、これらの機器はレンズを主要な部品とし、レンズの品質の優劣が直接画像の品質に影響を与える。
【０００３】
通常、可変フォーカスレンズは、レンズシステムの組み合わせによってなる。レンズシステムは凹凸の異なる複数の光学レンズを含む。これら光学レンズは少なくとも二以上のレンズセットに分けられ、それぞれ筒体の対応する位置に設けられて第一レンズセットと、第二レンズセットとを構成する。外部の固定座、もしくは外部筒体の内部は、内部筒体が往復運動を行い、伸縮するのに適した形状を具える。このため、可変フォーカスレンズは、フォーカスを調整する機能を具える。
【０００４】
但し、レンズを組立てた後、それぞれのレンズセットの間において、非同心、もしくは非同軸の状況が発生すると光学的品質に影響を与える。よって、業界ではそれぞれのレンズセットが移動する場合、同心、同軸を保持するように、極めて厳密に制御している。
【０００５】
従来技術文献は、レンズセットの構造を提供するものであって、図５に開示するように第一レンズセット９０と、第二レンズセット９１をそれぞれ第一レンズフレーム９２と、第二レンズフレーム９３に設けてなり、第一レンズセット９０と第一レンズフレーム９２とによって第一レンズ部を構成し、第二レンズセット９１と、第二レンズフレーム９３とによって第二レンズ部を構成する。第一レンズフレーム９２と第二レンズフレーム９３はいずれも本体フレーム９４に設ける（例えば、特許文献１参照）。
【特許文献１】米国特許第６，０４９，４３２号明細書
【０００６】
但し、本体フレーム９４に設ける第一レンズフレーム９２と第二レンズフレーム９３は、いずれも本体フレーム９４上のガイドレール９５と接触して収縮のための移動を行う固定点が一つしかない。しかも移動する場合、極めて容易にぶれる。よって、かかる構造では、その設置方法は第一レンズセット９０、第二レンズセット９１を同一の光軸に沿って移動させることが難しい。よって、レンズの光学的品質を高めることが難しい。また、第一レンズセット９０、第二レンズセット９１を一つずつ本体フレーム９４に組み付ける場合、誤差を容易に招き、組立加工の品質に影響を与える場合がある。
【発明の開示】
【発明が解決しようとする課題】
【０００７】
本発明は、それぞれのレンズを組立てた後の同軸度と、移動する場合の安定性を確保し、光学的品質を高める光学レンズ部品を提供することを課題とする。
【０００８】
また、本発明は、簡易な構造で使用と調整に便利な光学レンズ部品を提供することを課題とする。
【０００９】
また、本発明はレンズ鏡筒が伸縮する場合、レンズ鏡筒内外の気圧差の問題を解消し、レンズ鏡筒の滑かな摺動が得られる光学レンズ部品を提供することを課題とする。
【００１０】
また、本発明は、レンズ鏡筒が伸縮する場合、当接面に好ましい密接が得られるとともに、当接面の摺動に対する抵抗を低減可能な光学レンズ部品を提供することを課題とする。
【課題を解決するための手段】
【００１１】
そこで本発明者は、従来の技術に鑑み鋭意研究を重ねた結果、対応するレンズグループを収納し、第一レンズ部と第二レンズ部とを形成する少なくとも二つ以上の内鏡筒であって、該第一レンズ部と第二レンズ部とを組み立てた後、該レンズグループを設けた一方の内鏡筒の少なくとも一部分の外径構造体が、該レンズグループを設けた他の内鏡筒内の内部構造体内に収納される内鏡筒と、該第一レンズ部、該第二レンズ部と、を収納する固定座と、組立後のレンズセットの各レンズグループの同軸度を確保する修正手段と、を備えてなる光学レンズ部品であって、該修正手段が少なくとも、該第一レンズ部と第二レンズ部とを互いに協働させ、かつ少なくとも一部の構造体が精密な位置関係を保つ部材と、及び少なくとも一つ以上の締結部材を利用して該第一レンズ部と第二レンズ部上の位置決め構造体を構成し、該固定座上のガイドレールに連結して該レンズ部が、該固定座内において摺動自在になるようにするためのスライド手段とを備える構造によって課題を解決できる点に着眼し、係る知見に基づき本発明を完成させた。
以下、本発明について具体的に説明する。
【００１２】
請求項１に記載する光学レンズ部材は、レンズが移動する場合、レンズグループ間の同心度を確保する光学レンズ部品であって、
対応する該レンズグループを収納し、第一レンズ部と第二レンズ部と、を形成する少なくとも二つ以上の内鏡筒であって、該第一レンズ部と第二レンズ部とを組立後、該レンズグループを設けた一方の内鏡筒の少なくとも一部分の外径構造体が、該レンズグループを設けた他の内鏡筒内の内部構造体内に収納される内鏡筒と、
該第一レンズ部と、該第二レンズ部と、を収納する固定座と、
組立後のレンズセットの各レンズグループの同軸度を確保する修正手段と、を備えてなり、
該修正手段が少なくとも該第一レンズ部と第二レンズ部とを互いに協働させ、かつ少なくとも一部の構造体が精密な位置関係を保つ部材と、及び少なくとも一以上の締結部材を利用して該第一レンズ部と第二レンズ部上の位置決め構造体を構成し、該固定座上のガイドレールに連結して該レンズ部が、該固定座内において摺動自在になるようにするためのスライド手段と、を具える。
【００１３】
請求項２に記載する光学レンズ部品は、請求項１における両内鏡筒の一部の外径構造体と、該固定座の対応する内壁が緊密に当接し、該修正手段の別の構成部分を形成する。
【００１４】
請求項３に記載する光学レンズ部品は、請求項２における両レンズ部が、それぞれ第一レンズグループと第二レンズグループとに分けられ、両内鏡筒がそれぞれ第一内鏡筒と第二内鏡筒であって、かつ該両内鏡筒がいずれも段差を有し、異なる内径と異なる外径を呈する筒状本体である。
【００１５】
請求項４に記載する光学レンズ部品は、請求項３における第一内鏡筒と第二内鏡筒とがいずれも第一外径を有する本体部分を含み、かつ該本体部分の外周壁が内鏡筒と該固定座の対応する内壁と互いに協働する外径構造体である。
【００１６】
請求項５に記載する光学レンズ部品は、請求項４における修正手段の位置決め構造体が二つであって、且つそれぞれが両内鏡筒の第一外径を有する本体部分の外周面に形成される位置決め溝である。
【００１７】
請求項６に記載する光学レンズ部品は、請求項５における締結部材が固定ネジであって、該固定ネジの一端が該位置決め溝内に到り、且つ該固定ネジの他端が該固定座のガイドレール内に進入する。
【００１８】
請求項７に記載する光学レンズ部品は、請求項３または請求項４における第一内鏡筒が第一内径を有する本体部分を含み、該第二内鏡筒が第二外径を有する本体部分を含み、かつ第一内鏡筒の第一内径を有する本体部分と、第二内鏡筒の第二外径を有する本体部分とが互いに協働し合い、該第一レンズ部と該第二レンズ部とを一体に組み立てる場合、該第二内鏡筒の第二外径を有する本体部分が、該第一内鏡筒の第一内径を有する本体部分内に収納される。
【００１９】
請求項８に記載する光学レンズ部品は、請求項７における第一内鏡筒が第二内径を有する本体部分を含み、該第二鏡筒が第三外径を有する本体部分を含み、かつ第一内鏡筒の第二内径が、第二内鏡筒の第三外径よりやや大きく、両内鏡筒を組立後、互いに協働する本体部分間に隙間が形成される。
【００２０】
請求項９に記載する光学レンズ部品は、請求項８における第一内鏡筒が第三内径を備える本体部分を含み、該本体部分に該第一レンズセットを収納し、該第二レンズセットが該第二鏡筒の第二、第三外径を有する本体部分の対応する内部構造体内に収納される。
【００２１】
請求項１０に記載する光学レンズ部品は、請求項７における第二内鏡筒の第二外径を有する本体部分の外周面に、適宜な深さの溝を形成する。
【００２２】
請求項１１に記載する光学レンズ部材は、請求項８における第一内鏡筒の第二内径を有する本体部分の壁面に、複数の通気孔を形成する。
【００２３】
請求項１２に記載する光学レンズ部品の組立方法は、
レンズが移動する場合、レンズグループ間の同心度を確保する光学レンズ部品の組立方法であって、
少なくとも第一レンズセットと第二レンズセットとに分けられる複数の光学レンズと、
第一レンズセットを収納する第一内鏡筒と、第二レンズセットと、を収納する第二内鏡筒と、固定座と、締結部材と、を含んでなり、それぞれの内鏡筒の外周面にはいずれも少なくとも一つ以上の位置決め溝を形成し、該固定座にガイドレールを設けてなる光学レンズ部品の組立方法において、
ａ）該第一レンズセットと、該第二レンズセットを内鏡筒に設けて第一レンズ部と第二レンズ部を形成する段階と、
ｂ）該第一レンズ部と該第二レンズ部とを一体に組み立てて、第二レンズセットを設ける第二内鏡筒の少なくとも一部分の外径構造体を該第一レンズセットを設ける該第一内鏡筒の内部構造体内に組み立て、かつ両内鏡筒が互いに協働する構造体の少なくとも一部分の関連構造体に精密な位置関係を保持する第一回目の修正を完成させ、それぞれのレンズセットが移動する場合の同軸度を確保する段階と、
ｃ）組み立てた該第一レンズ部と第二レンズ部とを該固定座内に組み立てて第二回目の修正を完成させ、且つ両内鏡筒のいずれにおいても一部分の外径構造体が該固定座の対応する内壁に当接するように構成する段階と、
ｄ）二つの締結部材を用意し、該締結部材の一部の構造体が内鏡筒の該位置決め溝内に組み立てられ、他の一部の構造が該固定座上のガイドレール内に到って両レンズ部を該固定座上に位置決めし、レンズ部が該固定座内を摺動し、かつ互いに同軸度を保持するようにする段階と、を備える。
【００２４】
請求項１３に記載する光学レンズ部品の組立方法は、請求項１２における両内鏡筒がいずれも段差を有し、異なる内径と異なる外径を呈する本体を具備し、かつ第一内鏡筒と、第二内鏡筒がいずれも第一外径を有する本体部分を含む。
【００２５】
請求項１４に記載する光学レンズ部品の組立方法は、請求項１３における両内鏡筒の位置決め溝が第一外径を有する本体部分の外周面上に位置し、該締結部材が固定ネジであって、該固定ネジの一端が該位置決め溝内に到り、且つ該固定ネジの他端が該固定座のガイドレール内に進入する。
【００２６】
請求項１５に記載する光学レンズ部品の組立方法は、請求項１２または請求項１４における第一内鏡筒が第一内径を有する本体部分を含み、該第二内鏡筒が第二外径を有する本体部分を含み、かつ第一内鏡筒の第一内径を有する本体部分と、第二内鏡筒の第二外径を有する本体部分とが互いに協働し合い、該第一レンズ部と該第二レンズ部とを一体に組み立てる場合、該第二内鏡筒の第二外径を有する本体部分が、該第一内鏡筒の第一内径を有する本体部分内に収納される。
【００２７】
請求項１６に記載する光学レンズ部品の組立方法は、請求項１５における第一内鏡筒が第二内径を有する本体部分を含み、該第二鏡筒が第三外径を有する本体部分を含み、かつ第一内鏡筒の第二内径が、第二内鏡筒の第三外径よりやや大きく、両内鏡筒を組立後、互いに協働する本体部分間に隙間が形成される。
【００２８】
請求項１７に記載する光学レンズ部品の組立方法は、請求項１６における第二内鏡筒の第二外径を有する本体部分の外周面に、適宜な深さの溝を形成し、つ該第一内鏡筒の第二内径を有する本体部分の壁面に複数の通気孔を形成する。
【００２９】
請求項１８に記載する伸縮自在な光学レンズ部品は、
レンズが移動する場合、レンズグループ間の同心度を確保する伸縮自在な光学レンズ部品であって、
複数のレンズによって構成される複数のレンズセットと、適宜な数の該レンズセットを収納し、複数のレンズ部を形成する複数の内鏡筒とによって構成され、
該レンズ部を組立後、少なくとも一内鏡筒の一部分の外径構造体が、他の内鏡筒の内部構造体に収納され、かつ両内鏡筒とを協働させる構造体において、少なくとも一部の関連構造体が精密な位置関係を保持し、それぞれの該レンズセットが移動する場合の互いの同軸度を確保する。
【００３０】
請求項１９に記載する伸縮自在な光学レンズ部品は、請求項１８における精密な位置関係を保持する少なくとも一以上の内鏡筒に通気孔を形成し、空気が自由に進出できるようにしてレンズ鏡筒が伸縮した場合に、気圧を平均化して発生する気圧の差を解消する。
【００３１】
請求項２０に記載する伸縮自在な光学レンズ部品は、請求項１８または請求項１９における精密な位置関係を保持する一対の内鏡筒間の当接面上に適宜な深さの溝を形成し、該当接面の協働度を高め、摺動の抵抗を低減させる。
【００３２】
請求項２１に記載する伸縮自在な光学レンズ部品は、請求項２０における内鏡筒の少なくとも一つの外周面に位置決め溝が形成される。
【００３３】
請求項２２に記載する伸縮自在な光学レンズ部品は、請求項２１における伸縮自在な光学レンズ部品が、該レンズ部を収納する固定座を含み、該固定座にガイドレールが形成され、
該レンズ部を固定座に組み立てる場合、少なくとも一つのレンズ部の一部の外径構造体が該固定座の内壁に当接し、該レンズ部が該固定座に沿って摺動し、他のレンズ部が該レンズ部と相対的に移動する。
【００３４】
請求項２３に記載する伸縮自在な光学レンズ部品は、請求項２２における伸縮自在な光学レンズ部品が、少なくとも一以上の締結部材を含み、該締結部材によって該内鏡筒上の位置決め溝と、該固定座のガイドレールとを連結する。
【発明の効果】
【００３５】
本発明の光学レンズ部品は、複数のレンズの安定した移動と好ましい同軸度が得られ、光学的品質を高めるという利点がある。
【００３６】
また、本発明の光学レンズ部品は、構造が簡易であって、組立加工の品質を高めることによって、製品の歩止りを高め、生産コストを節減させることができるという利点がある。
【００３７】
また、本発明による光学レンズ部品はフォーカスの調整が容易で、使用上便利であるという利点を有する。
【発明を実施するための最良の形態】
【００３８】
本発明は、投影、撮影等の機能を有する機器に用いられる可変フォーカスレンズを提供するものであって、対応するレンズグループを収納し、第一レンズ部と第二レンズ部とを形成する少なくとも二つ以上の内鏡筒であって、該第一レンズ部と第二レンズ部とを組み立てた後、該レンズグループを設けた一方の内鏡筒の少なくとも一部分の外径構造体が、該レンズグループを設けた他の内鏡筒内の内部構造体内に収納される内鏡筒と、該第一レンズ部、該第二レンズ部とを収納する固定座と、及び組立後のレンズセットの各レンズグループの同軸度を確保する修正手段と、を備えて構成され、かつ該修正手段が少なくとも、該第一レンズ部と第二レンズ部とを互いに協働させ、かつ少なくとも一部の構造体が精密な位置関係を保持する部材と、及び少なくとも一つ以上の締結部材を利用して該第一レンズ部と第二レンズ部上の位置決め構造体を構成し、該固定座上のガイドレールに連結して該レンズ部が、該固定座内において摺動自在になるようにするためのスライド手段と、を備える。係る構造によってそれぞれのレンズを組み立てた後の同軸度と、移動する場合の安定性と、を確保し、光学的品質を高めるという目的を実現した。
かかる構成の光学レンズ部品について、その構造と特徴を詳述するために具体的な実施例を挙げ、以下に説明する。
[実施形態]
【００３９】
図１Ａから図４に示すように、本発明による光学レンズ部品１は、前部レンズセットである第一レンズセット１０、後部レンズセットである第二レンズセット２０を構成する複数の光学レンズと、それぞれのレンズセットを設ける第一内鏡筒３０及び第二内鏡筒４０と、を含む。第一レンズセット１０は、第一内鏡筒３０に設けられ、第一レンズ部を構成する。第二レンズセット２０は、第二内鏡筒４０に設けられ第二レンズ部を構成する。
【００４０】
該二つのレンズ部を組み立てると、第二レンズセットを２０を設けた第二内鏡筒４０の少なくとも一部の外径構造体が第一レンズセット１０を設けた第一内鏡筒３０の内部構造体内に収納され、両レンズ部はいずれも固定座５０（もしくは外部レンズ鏡筒）内に設けられる。該固定座５０には内外側壁を貫通するガイド溝５１が形成され、該両レンズ部を摺動させる。よって、可変フォーカス機能が得られる。
【００４１】
図１Ａ及び図２Ａに示すように、第一内鏡筒３０と第二内鏡筒４０は構造が類似し、いずれも段差を有し、異なる内径と外径を呈する筒状本体を有する。第一内鏡筒３０と第二内鏡筒４０は、いずれも第一外径を有する本体部分３１、４１を備え、両本体部分３１、４１の側壁外周面には、いずれも固定座５０のガイド溝５１に対応する位置に、位置決め溝３１０、４１０が形成される。
【００４２】
第一内鏡筒３０と、第二内鏡筒４０はそれぞれ固定座５０に摺動自在に設け、二本の固定ネジ６０でそれぞれ位置決めする。この場合、一方の固定ネジ６０は固定座５０の固定溝を貫通して一端が第一内鏡筒３０の位置決め溝に到り、他の固定ネジ６０は、固定座５０の固定溝を貫通し、一端が第二内鏡筒４０の位置決め溝に到る。
【００４３】
第一内鏡筒３０は第一内径を有する本体部分３２、及び第二内径を有する本体部分３２が第二内鏡筒４０に収納され、第三内径を有する本体部分３４に第一レンズセット１０を収納する。第二レンズセット２０は、第二内鏡筒４０の筒状本体に収納される。
【００４４】
第二内鏡筒４０の第二外径を有する本体部分４２と、第三外径部分を有する本体部分４３は、第一内鏡筒３０の第一内径を有する本体部分と第二内径を有する本体部分３２、３３内にそれぞれ収納され、第一内鏡筒３０の第一外径３１は、第一、第二、第三内径３２、３３、３４より大きく、第二内鏡筒４０の第一外径４１は、第二外径４２、第三外径４３より大きくする。
【００４５】
図４に示すように、第一、第二内鏡筒３０、４０のレンズ部間の同軸の程度を保証するため、即ち、前後のレンズグループは同一の光軸に沿って移動するようにするため、第一内鏡筒３０、第二内鏡筒４０の第一外径を固定座５０の内壁に緊密に当接するように正確に組み立てるとともに、ガイド溝に沿って伸縮するように構成する。しかも両内鏡筒間において、精密な位置関係を保持し、精密に移動してレンズセットが完全に同軸になることを目的として、第一内鏡筒３０の第一内径３２は、第二内鏡筒４０の第二外径４２寸法に近いものとする。但し、両内鏡筒を緊密に設けることによって、きめの細かい表面が互いに粘着する現象が発生する。よって、第二内鏡筒の第二外径を有する本体部分４２は、外周面に適宜な深さの溝４２０を形成し、両壁面間の領域に適宜な隙間を形成する。このため、当接面の密接度を高めるとともに、摺動の抵抗を低減させ、両内鏡筒が移動しやすくする。
【００４６】
また、第一内鏡筒３０の第二内径３３は、第二内鏡筒４０の第三外径４３よりやや大きくする。よって、互いに当接する本体部分３３、４３の間に適宜な隙間が形成される。更に第一内鏡筒と第二内鏡筒とが精密に協働しあい、両レンズセットが相対的に移動し、両者の間の隙間が大きくなるか、小さくなった場合、空気が両レンズセット１０、２０の間に自由に進出する。このため、第一内鏡筒の第二内径を有する本体部分３３の側壁には複数の通気孔３３０を形成する。充満した気体は隙間を経て、通気孔３３０から排出される。このため両レンズセットの間の移動が気圧の差によって影響を受ける事がなく、摺動の動作を潤滑に行うことができる。
【００４７】
以上から明かなように、本発明による光学レンズ部材１は、組立過程において二回の修正を行う。第１回目の修正は、第一レンズ部と第二レンズ部とを予め組み立て、両者の間の相対的な構造を利用し、緊密で安定した特性を備えさせ、かつ前後グループ間に好ましい同軸度を持たせる。第二回目の修正は組み立てたレンズセットを固定座に設け、かつ締結部材（例えば、ボルト）で摺動自在になるように位置決めする。
【００４８】
また、本発明は二つの修正手段によって発明の目的を達成する。一つは両内鏡筒３０、４０上に位置し、両者の間に緊密な関係を形成し、互いに移動する場合、前後グループの間の同軸度を保証する構造体である。他の修正手段は、固定座５０上に組み立てた両レンズ部を摺動させるものであって、両内鏡筒３０、４０上の位置決め構造体（例えば、位置決め溝３１０、４１０）、固定座５０上のガイドレール、もしくはガイド溝５１、及び位置決め構造を位置決め溝に連結させる締結部材（固定ネジ６０）を含む。これらの組立工程は、簡易であり、構造の調整に便利である。同時にそれぞれのグループの間において、固定座に設ける場合、既に一体に組み立てられる。よって、組立加工の安定性を増し、更にそれぞれのレンズが組み立てられた後の同軸度、及び移動する場合の安定性が確保される。よって、レンズの光学的品質を高めることができる。
【００４９】
また、以上から明らかなように、ガイド溝は、直接、外部鏡筒上に形成するとは限らない。例えば、従来技術文献に開示されるように、その他方法でスライドレールの機能を達成してもよい。締結部材についてもボルト等を用いなければならないということはなく、必要に応じて適宜に変化させることができる。実施形態に開示する光学レンズ部材は二つのグループによってなる形態で構成される。それぞれのグループの同心度、もしくは同軸度を確保するための構造配置は、その他複数のレンズセットを具える部品に応用することができる。
【００５０】
以上、本発明の好ましい実施形態であって、本発明を実施するうえでの範囲を限定するものではない。よって、当業者のなし得る修正、もしくは変更であって、本発明の精神の下においてなされ、本発明に対して均等の効果を有するものは、いずれも本発明の範囲に属するものとする。
【図面の簡単な説明】
【００５１】
【図１Ａ】本発明による光学レンズ部品における第一内鏡筒の斜視図である。
【図１Ｂ】図１Ａに開示する部材の軸方向の断面構造を示した説明図である。
【図２Ａ】本発明による光学レンズ部品における第二内鏡筒の斜視図である。
【図２Ｂ】図２Ａに開示する部材の軸方向の断面構造を示した説明図である。
【図３】本発明による光学レンズ部材の構造を示した説明図である。
【図４】本発明による光学レンズ部材の構造を示した断面図である。
【図５】従来技術による光学レンズ部材の構造を示した断面図である。
【符号の説明】
【００５２】
１  光学レンズ部品
１０  第一レンズセット
２０  第二レンズセット
３０  第一内鏡筒
３１  本体部分
３１０  位置決め溝
３２  本体部分
３３  本体部分
３３０  通気孔
３４  本体部分
４０  第二内鏡筒
４１  本体部分
４１０  位置決め溝
４２  本体部分
４２０  溝
４３  本体部分
５０  固定座
５１  ガイド溝
６０  固定ネジ
９０  第一レンズセット
９１  第二レンズセット
９２  第一レンズフレーム
９３  第二レンズフレーム
９４  本体フレーム
９５  ガイドレール
【図１Ａ】
2006011421.tif 000003
【図１Ｂ】
2006011421.tif 000004
【図２Ａ】
2006011421.tif 000005
【図２Ｂ】
2006011421.tif 000006
【図３】
2006011421.tif 000007
【図４】
2006011421.tif 000008
【図５】
2006011421.tif 000009